(57)【要約】【課題】メータボックス等の閉止固定と封印を専用工具を用いることなく容易に行う。【解決手段】メータボックス（５０）の基台（５２）にカバー部材（５３）を開放不能に固定するとともに封印するための封印締結具（１０）であって、挿込孔（１２）が形成され該挿込孔の内部に戻止部（１４ａ）が突起した頭部（１６）と、該頭部から伸長し、かつ、前記挿込孔内部の戻止部に掛け止められる複数の溝（１８）が並列して形成されたベルト部（２２）からなり、前記挿込孔に挿し込んだ前記ベルト部を掛け止めた前記戻止部への外部からの接触を禁止する不正防止機構を備えた、ことを特徴とする。【選択図】図４
2011047804.tif 000002
【特許請求の範囲】
【請求項１】
メータボックス（５０）を構成する基台（５２）およびカバー部材（５３）のそれぞれに整合して設けられ、基台にカバー部材を取り付けた際に一連して形成される封印用ネジ穴（５７）に通して結束することで基台にカバー部材を開放不能に固定するとともに封印するための封印締結具（１０）であって、
挿込孔（１２）が形成され該挿込孔の内部に戻止部（１４ａ）が突起した頭部（１６）と、該頭部から伸長し、かつ、前記挿込孔内部の戻止部に掛け止められる複数の溝（１８）が並列して形成されたベルト部（２２）からなり、
前記挿込孔に挿し込んだ前記ベルト部を掛け止めた前記戻止部への外部からの接触を禁止する不正防止機構を備えた、ことを特徴とする封印締結具。
【請求項２】
前記不正防止機構が、前記挿込孔（１２）の内部に前記戻止部（１４ａ）の出口側に突起して形成した第二戻止部（１４ｂ）である、ことを特徴とする請求項１に記載の封印締結具。
【請求項３】
前記不正防止機構が、前記挿込孔（１２）に前記ベルト部（２２）を挿し込んで掛け止めた後に、さらに前記ベルト部に挿し込むことで前記挿込孔の出口側を覆うこととなる引き抜き不能な蓋部材（２４）である、ことを特徴とする請求項１に記載の封印締結具。
【請求項４】
前記ベルト部（２２）には、前記基台（５２）にカバー部材（５３）を固定・封印した際に、前記挿込孔の入口を塞ぐこととなる鍔部（２３）が形成されている、ことを特徴とする請求項１乃至３のいずれか一項に記載の封印締結具。
【請求項５】
前記頭部（１６）には独特の刻印や印刷などの識別表示が施されている、ことを特徴とする請求項１乃至４のいずれか一項に記載の封印締結具。
【発明の詳細な説明】
【技術分野】
【０００１】
本発明は、使用電力量の計量のために需要家宅等に設置される電力量計の電力測定部を収容するメータボックスの閉止固定・封印を容易に行うことを可能とするとともに、電力会社の関係者以外の第三者がメータボックスを開放した場合にはこれを容易に発見することができる封印締結具に関する。
【背景技術】
【０００２】
５０ｋＷ未満の低圧分野では、需要家宅等の需要家側に低圧計器としての電力量計が設置される。そのため需要家による使用電力量の検針は、主に、検針員が定期的に現地に出向き、目視により電力量計の数値を読み取ることで実施されている。
【０００３】
電力量計は、メータボックス（収容ケース）内に収容されており、電力測定部、端子ボックス、測定結果を表示する表示部（メーター部）等を備えている。そしてメータボックス前面には表示部の表示内容を目視確認するための透明窓（メーター表示窓）が配置されている。また、メータボックスがみだりに開放されると検針電力測定部に対する不正操作の可能性から検針に対する信頼性が低下するため、メータボックスは開放できないように封印されている。
【０００４】
図７および図８に電力量計を収容するメータボックスの一例を示した。このメータボックス５０は、電力量計を固定する基台５２とこの基台５２に電力量計を覆うように取り付けられたカバー部材５３とを有しており、基台５２にカバー部材５３を閉止した際にメータボックス下部において一連して表裏に貫通するように封印用ネジ穴５７がそれぞれに整合して形成されている。そのためカバー部材５３は封印用ネジ穴５７に通した締結ねじ５４で基台５２に固定されるようになっている。
【０００５】
このような構成のメータボックス５０では、締結ねじ５４を外してカバー部材５３が勝手に外されることを防ぐために、封印ワイヤ１００ａと、この封印ワイヤ１００ａの両端部に圧着される封印鉛１００ｂからなる封印具１００が用いられる。具体的には、図に示したように、締結ねじ５４の頭部に横孔を形成し、また、締結ねじ５４の近傍にカバー部材５３と基台５２とのそれぞれに整合して形成された挿通孔５５を設け、これら横孔と挿通孔５５とに封印用ワイヤ１００ａを通し、この封印用ワイヤ１００ａの両端部を封印鉛１００ｂの側面からこれに穿設された通孔に挿通させ、しかる後に専用工具により封印鉛１００ｂを挟持して圧潰することで封印用ワイヤ１００ａの両端部を封印鉛１００ｂで結着するようにしていた。
【０００６】
なおこのような封印ワイヤと封印鉛からなる封印具は、電力量計のメータボックスに限らず、ガス、水道などのメータボックスやその開閉弁のレバーなど封印が必要なものに広く用いられている。
【０００７】
ところが、上述のような封印具１００を用いた封印は、封印用ワイヤ１００ａを、締結ねじ５４の横孔や、カバー部材５３及び基台５２の挿通孔５５に挿通させ、さらに封印鉛１００ｂの通孔に挿通させなければならず、また、専用工具を用いて封印鉛１００ｂを圧潰する必要があり、作業の工数が多く手間がかかるものであった。特に、この種の封印具が需要家である各家庭に設置されたメータボックス等に利用される場合には、同様の作業がそれぞれの家庭で必要となり、また、定期点検等でカバー部材を開放する必要があれば、その都度、封印用ワイヤ１００ａを切断してカバー部材を開放させ、点検終了後にカバー部材を取り付けて再び封印用ワイヤ１００ａを封印鉛１００ｂで結着させなければならず煩に耐えないといった問題があった。
【０００８】
そのため封印用ワイヤを用いずに封印することが可能な種々の封印具が発案されている。例えば特許文献１の「封印具」には、電力量計等を構成する基台とカバー部材の夫々に設けた挿通孔内に挿入可能な挿込棒状体と、この挿込棒状体の基端部に一体化された取手部と、挿込み棒状体の他の部分に設けた逆止部と、該取手部の近傍に設けられた破断が容易な破断部とを備えた封印具が開示されている。
【特許文献１】特開２００６−６５００７号公報
【発明の開示】
【発明が解決しようとする課題】
【０００９】
この封印具は、全体形状が細い棒状体であり、連通状態にある２つの挿通孔内に挿し込めば挿着が完了する点で便利であるが、指先で取手部を摘んでひねりを加えて破断部を容易に切断するようになっているため、故意でなくとも過失によって簡単に取り外されて封印が解除されてしまう虞があった。封印が解除されると電力測定部に対して不正行為が行われる可能性もあるため、検針結果への信頼性が低下することとなるといった問題もあった。
【００１０】
本発明は上記事情に鑑みてなされたものであり、使用電力量の計量のために需要家宅等に設置される電力量計の電力測定部等を覆うメータボックスの閉止固定および封印を専用工具を用いることなく容易に行うことが可能である一方、一度した封印を解除不能とする封印締結具を提供することを目的としている。
【課題を解決するための手段】
【００１１】
上記目的を達成するため本発明は、メータボックス（５０）を構成する基台（５２）およびカバー部材（５３）のそれぞれに整合して設けられ、基台にカバー部材を取り付けた際に一連して形成される封印用ネジ穴（５７）に通して結束することで基台にカバー部材を開放不能に固定するとともに封印するための封印締結具（１０）であって、挿込孔（１２）が形成され該挿込孔の内部に戻止部（１４ａ）が突起した頭部（１６）と、該頭部から伸長し、かつ、前記挿込孔内部の戻止部に掛け止められる複数の溝（１８）が並列して形成されたベルト部（２２）からなり、前記挿込孔に挿し込んだ前記ベルト部を掛け止めた前記戻止部への外部からの接触を禁止する不正防止機構を備えた、ことを特徴とする。
【００１２】
ここで、前記不正防止機構が、前記挿込孔（１２）の内部に前記戻止部（１４ａ）の出口側に突起して形成した第二戻止部（１４ｂ）であるか、前記挿込孔（１２）に前記ベルト部（２２）を挿し込んで掛け止めた後に、さらに前記ベルト部に挿し込むことで前記挿込孔の出口側を覆うこととなる引き抜き不能な蓋部材（２４）である、ことも好ましい。
【００１３】
また、前記ベルト部（２２）には、前記基台（５２）にカバー部材（５３）を固定・封印した際に、前記挿込孔の入口を塞ぐこととなる鍔部（２３）が形成されている、ことも好ましい。
【００１４】
さらに、前記頭部（１６）には独特の刻印や印刷などの識別表示（Ｍ）が施されている、ことが好ましい。
【発明の効果】
【００１５】
本発明では、基台およびカバー部材からなる既存のメータボックスの封印固定にいわゆる結束バンドを封印締結具として用いることで、専用工具を用いることなく基台にカバー部材を開閉不能に容易に固定することができると同時にその封印をすることができる。また、一度締結した封印締結具はこれを切断することなくその封印を解除することを不可能とすることができる。そして万が一、電力会社の関係者以外の第三者が不正の目的で封印締結具に細工を加え締結を解除してメータボックスを開けた場合には、容易にこれを発見することができるため、不正の未然防止および早期発見を図ることで、検針結果の信頼性を向上させることができる。
【００１６】
ここで封印締結具の頭部の挿込孔の内部に突起する戻止部を２以上形成し、または、挿込孔の出口側を覆うこととなる引き抜き不能な蓋部材をさらにベルト部に挿し込むことで、挿込孔出口側から細棒などを用いてベルト部の溝へ掛け止められた戻止部に細工をすることで、その掛け止めを解除しようとすることを有効に防止することができる。すなわち各戻止部は、その端部が挿込孔出口側に若干傾斜した状態でベルト部の溝へ掛け止められているが、挿込孔出口側に位置する第二戻止部や蓋部材が挿込孔出口を蓋することとなるため、挿込孔出口側から各戻止部に細工をしてその掛け止めを解除することを不可能とし、封印締結具を再利用可能な状態でメータボックスから取り去ることを防ぐことができる。
【００１７】
また、ベルト部に、メータボックスを本発明の封印締結具によって締結した際に、頭部の挿込孔の入口側を塞ぐこととなる蓋体を形成することで、封印締結後には、挿込孔入口側から細棒などを用いてベルト部の溝へ掛け止められた戻止部に細工をすることで、その掛け止めを解除しようとすることを有効に防止することができる。
【００１８】
さらに、この封印締結具に独特の刻印や印刷などの識別表示を施しておくことで、類似の封印締結具の流用による不正を防止することができる。
【図面の簡単な説明】
【００１９】
【図１】電力量計のメータボックスが閉じた状態の斜視図である。
【図２】電力量計のメータボックスが閉じた状態を側面から見た透視概要図である。
【図３】実施例１の封印締結具の斜視図である。
【図４】封印締結具頭部の構造を説明するための断面図である。
【図５】実施例１の封印締結具により基台にカバー部材を閉止固定・封印する様子を示した斜視図である。
【図６】実施例２の封印締結具頭部の構造を説明するための断面図である。
【図７】電力量計を収容するメータボックスの一例を示した斜視図である。
【図８】メータボックス下部の拡大図である。
【発明を実施するための最良の形態】
【００２０】
本発明の封印締結具は、主としてメータボックスの閉止固定および封印を専用工具を用いることなく容易に行うことを可能とし、また一度した封印は解除することができず、さらに第三者が不正な細工によりメータボックスを開放できないようにするものである。
なお本発明は、封印締結が必要とされる収容容器全般などに適用することができるが、以下の実施例では需要家宅等に設置される電力量計のメータボックスに適用する場合について説明する。
【００２１】
まず、本発明の封印締結具が使用される電力量計およびメータボックスの構造について図面を用いて簡単に説明をする。図１及び図２は電力量計およびメータボックスの構造を説明するための図であり、図１は電力量計のメータボックスが閉じた状態の斜視図、図２はこれを側面から見た透視概要図である。
【００２２】
この電力量計１は、電力量を測定する電力測定部５、電力測定部５と接続された端子ボックス６、測定結果を表示する表示部７等が、メータボックス５０（収容ケース）内に収容された構造を有している。このメータボックス５０は、需要者の自宅家屋等の壁面に固定される基台５２と、基台５２の前面に取り付けられて電力測定部５、端子ボックス６、及び表示部７等を覆うと共に表示部７の表示内容を視認可能にする透明窓３（メーター表示窓）を備えたカバー部材５３とから構成されている。
【００２３】
基台５２にはカバー部材５３の上端辺がヒンジ接続されており、このヒンジを回転軸として基台５２にカバー部材５３を被せることで、基台５２に対してカバー部材５３を閉止するようになっている。ここでメータボックス５０を構成する基台５２およびカバー部材５３には、基台５２にカバー部材５３を閉止した際に一連して形成される封印用ネジ穴５７がそれぞれに整合して設けられている。
従来ではこの封印用ネジ穴５７に、締結ねじを捩じ込むことで基台５２にカバー部材５３を閉止した状態で固定し、また、一度捩じ込んだ締結ねじを取り去ることができないように封印ワイヤ１００ａと封印鉛１００ｂからなる封印具１００が用いられていたのは前述の通りである（図７参照）。
本発明では従来のように締結ねじや封印具を用いることなく、以下の実施例に説明する封印締結具１０を用いることで、基台５２にカバー部材５３を閉止した状態で容易に固定（締結）するとともにその封印をも同時に行うことを可能とした。
【実施例１】
【００２４】
図３は本実施例の封印締結具の斜視図であり（ａ）は表側、（ｂ）は裏側を表しており、図４は封印締結具頭部の構造を説明するための断面図、図５は本実施例の封印締結具により基台にカバー部材を閉止固定・封印する様子を示した斜視図である。
【００２５】
本実施例の封印締結具１０（本体）は、挿込孔１２が形成されその内部に戻止部１４ａが突起した頭部１６と、この頭部１６から伸長し、かつ、挿込孔１２内部の戻止部１４ａに掛け止められる複数の溝１８が並列して形成されたベルト部２２からなり、柔軟な合成樹脂により一体的に成形されている。
【００２６】
頭部１６は各辺が６ｍｍ程度の略立方体形状をしており、その中心部には次に説明するベルト部２２を挿通するための挿込孔１２が形成されている。この挿込孔１２は縦横が各３ｍｍ程度の大きさで頭部１６の対向する二面に矩形に開口しており、その内部には２ｍｍ程度の長さで突起する短片状の戻止部１４ａが形成されている。この戻止部１４ａは挿込孔１２にベルト部２２が挿通された際にこれを掛け止めてその引き抜きを禁止するように、若干挿込孔出口側に傾斜した状態となっている。
またこの頭部１６にはその側面に、会社のマークなどの独特の刻印が浮き出すように施されている（図示せず）。
【００２７】
ベルト部２２は、頭部１６の挿込孔１２が形成されていない側面で、かつ、挿込孔１２の内部に戻止部１４ａが形成された側の側面から伸長する長さ２０ｃｍ程度で幅３ｍｍ弱、厚さが１ｍｍ程度の平帯である。このベルト部２２の片面には、挿込孔１２内部の戻止部１４ａに掛け止められることとなる複数の溝１８が長さ方向に１ｍｍ程度の間隔で並列して形成されている。したがって頭部１６に形成された挿込孔１２にベルト部２２をその先端から容易に挿し入れることができる一方、戻止部１４ａにベルト部２２の溝１８が一度掛け止められると挿し入れたベルト部２２は引き抜くことができないようになっている。
またこのベルト部２２には、これをメータボックスの封印用ネジ穴５７に通してから頭部１６の挿込孔１２に先端から挿し入れて締め付けた際に挿込孔入口に位置することとなる部分に、挿込孔入口を蓋することとなる鍔部２３がブロック状に形成されている。この鍔部２３は挿込孔１２に挿し込んだベルト部２２を掛け止めた戻止部１４ａへの外部（挿込孔入口側）からの接触を禁止するためのものである。
【００２８】
また頭部１６の挿込孔１２に挿し入れたベルト部２２には、図４（ｂ）に示したように、さらにその先端から挿し入れることで、挿込孔入口を蓋することとなる蓋部材２４が取り付けられる。この蓋部材２４は封印締結具１０（本体）の頭部１６と類似の構造をしており、略立方体形状の中心にベルト部２２を挿通するための孔が形成され、また、一度その孔に挿し入れたベルト部２２はその溝１８が掛け止められて引き抜くことができないようになっている。またこの蓋部材２４の孔の出口はベルトが通る隙間だけを残して邪魔片２５によって塞がれている。
この蓋部材２４は封印締結具１０（本体）の挿込孔１２に挿し込んだベルト部２２を掛け止めた戻止部１４ａへの外部（挿込孔入口側）からの接触を禁止する不正防止機構を構成する。なおベルト部２２の両面（表裏）に溝１８を形成しておき、この蓋部材２４の孔内にこの溝１８を掛け止める突起を対向して形成してやることも好ましい。
【００２９】
本実施例の封印締結具１０を用いてメータボックス５０の基台５２にカバー部材５３を閉止固定して封印するためには、図５（A）および（B）に示したように、まず基台５２にカバー部材５３を閉止した際に一連して形成された封印用ネジ穴５７に封印締結具１０（本体）のベルト部２２をその先端から通し、その後ベルト部２２が環を形成するように屈曲させて頭部１６の挿込孔１２にこれを挿し通す。そして頭部１６を指で摘んでベルト部２２先端を強く引っ張ることで締結してカバー部材５３が基台５２に閉止状態で固定される。このときベルト部２２に形成した鍔部２３は、挿込孔１２の入口を蓋した状態となっている。
封印締結具１０を締結してカバー部材５３を基台５２に固定した後には、ベルト部２２の先端から上述の蓋部材２４をベルト部２２の頭部１６まで挿し入れてやることで、蓋部材２４を挿込孔１２の出口を蓋するように覆い被せてやる。
そして最後に蓋部材２４の孔から延びて余ったベルト部２２を鋏で切断してやることで、メータボックス５０の封印締結作業が完了する。
なお本実施例の封印締結具１０は、図５（A）および（B）に示したように、封印用ネジ穴５７にいずれの方向から挿し込む場合でもメータボックス５０の閉止固定・封印を行うことができる。
【００３０】
このように本実施例の発明では、封印ネジを用いることなく結束バンド状の封印締結具１０により、基台５２にカバー部材５３を閉止固定することができると同時に、従来のような封印用ワイヤと封印鉛および専用工具を用いた煩雑な封印作業をすることなしに基台５２にカバー部材５３を封印固定することができる。また、ベルト部２２に形成した鍔部２３とベルト部２２に挿し入れた蓋部材２４によって封印締結具頭部１６を挟むようにしてその挿込孔１２の入口側と出口側を蓋するため、不正な細工によりこの封印をベルト部２２を切断することなく解除し、再びこの封印締結具１０を用いて封印をして不正が発覚しないようにしようとする行為を回避することができる。
【実施例２】
【００３１】
図６は実施例２の封印締結具頭部の構造を説明するための断面図である。
この封印締結具１０の構造はその頭部１６の一部を除いて実施例１のものと同じであるため、共通する部分には同様の符号を付すことで重複する説明は省略する。
【００３２】
この封印締結具１０（本体）の頭部１６には挿込孔１２が形成されていることは実施例１と同様であるが、この挿込孔１２の内部には戻止部１４ａに並ぶようにして戻止部１４ａの出口側に第二戻止部１４ｂが突起して形成されている。この第二戻止部材１４ｂは戻止部１４ａとほぼ同様の大きさ・形状をしており、第二戻止部材１４ｂと戻止部１４ａとは２ｍｍ程度の間隔で並列している。したがって挿込孔１２に挿し入れたベルト部２２の溝１８は、この戻止部１４ａと第二戻止部材１４ｂとに掛け止められることになる。
【００３３】
この第二戻止部材１４ｂは挿込孔１２に挿し入れたベルト部２２の引き抜きを禁止するとともに、ベルト部２２を掛け止めた戻止部１４ａへの外部からの接触を禁止する不正防止機構となるものである。なおベルト部２２には挿込孔入口を蓋することとなる鍔部２３が形成されていることも実施例１と同様である。
【００３４】
本実施例では第二戻止部材１４ｂを挿込孔１２内部に形成することで、実施例１で用いた蓋部材２４の代わりにこれによって挿込孔出口を蓋し、戻止部１４ａへの不正な細工を防止し、また、ベルト部２２の溝１８への掛け止めを二重に行うことで、より確実な閉止・固定・封印を達成することができる。なお実施例１と同様に本実施例においても、蓋部材２４をさらにベルト部２２に挿し入れて挿込孔出口を二重に蓋するようにしてやることも当然可能である。
【産業上の利用可能性】
【００３５】
本発明の封印締結具は、電力量計用のメータボックス以外にも、ガス、水道などのメータボックスなど、その閉止固定と封印が必要である全てのものに採用することができる。
【符号の説明】
【００３６】
１  電力量計
３  透明窓
５  電力測定部
６  端子ボックス
７  表示部
１０  封印締結具
１２  挿込孔
１４ａ  戻止部
１４ｂ  第二戻止部
１６  頭部
１８  溝
２２  ベルト部
２３  鍔部
２４  蓋部材
２５  邪魔片
５０  メータボックス
５２  基台
５３  カバー部材
５４  締結ねじ
５５  挿通孔
５７  封印用ネジ穴
１００  封印具
１００ａ  封印ワイヤ
１００ｂ  封印鉛
【図１】
2011047804.tif 000003
【図２】
2011047804.tif 000004
【図３】
2011047804.tif 000005
【図４】
2011047804.tif 000006
【図５】
2011047804.tif 000007
【図６】
2011047804.tif 000008
【図７】
2011047804.tif 000009
【図８】
2011047804.tif 000010